(57)【特許請求の範囲】
【請求項１】
収容ハウジングの内部に設けられて前記収容ハウジングの一側面に向かって開口する収容空間を有し、前記収容空間を囲む収容側壁に断面がジグザグ形状の収容構造部であって、前記ジグザグ形状の谷部に電池セルの端部を収容する収容構造部を有する電池収容部と、
前記収容空間に収容されて前記収容構造部に接触し、前記収容ハウジングの前記一側面に向かって位置して前記収容ハウジングから突出する複数の電極リードを有する複数の前記電池セルと、
載置ハウジングの内部に前記収容空間に向かって開口して前記複数の電池セルを載置する載置空間を有し、前記載置空間を囲む載置側壁に断面がジグザグ形状の載置構造部であって、前記ジグザグ形状の谷部に電池セルの端部を載置する載置構造部を有する電池カバー部と
を含み、
前記載置ハウジングは、前記収容ハウジングの前記一側面を覆って前記複数の電極リードによって貫通されることを特徴とする電池モジュール。
【請求項２】
前記収容ハウジングは、前記一側面と対向する他側面で前記収容空間を閉鎖することを特徴とする請求項１に記載の電池モジュール。
【請求項３】
前記収容ハウジングにおける前記収容空間の長さは、前記載置ハウジングにおける前記載置空間の長さより長いことを特徴とする請求項１に記載の電池モジュール。
【請求項４】
前記収容ハウジングの前記収容側壁は、前記収容ハウジングの底側から天井に向かって前記ジグザグ形状を有することを特徴とする請求項１に記載の電池モジュール。
【請求項５】
前記収容ハウジングの前記収容側壁は、前記収容空間を介在して対向する第１収容側壁及び第２収容側壁、そして前記収容ハウジングの前記一側面と対向する他側面に第３収容側壁を含み、
前記収容構造部は、前記第１収容側壁、前記第２収容側壁及び前記第３収容側壁で前記ジグザグ形状に沿って位置する収容傾斜面と、前記収容傾斜面同士の間の溝部にそれぞれ位置する収容スリットとを有することを特徴とする請求項１に記載の電池モジュール。
【請求項６】
前記収容傾斜面は、前記第１収容側壁、前記第２収容側壁及び前記第３収容側壁の間で分離することを特徴とする請求項５に記載の電池モジュール。
【請求項７】
前記第１収容側壁の収容傾斜面は、前記収容空間内に１つのレベルで、前記第２収容側壁の収容傾斜面及び前記第３収容側壁の収容傾斜面と同じ幅を有することを特徴とする請求項５に記載の電池モジュール。
【請求項８】
前記第１収容側壁と前記第２収容側壁との間の幅は、前記第３収容側壁の収容傾斜面の長さよりも小さいことを特徴とする請求項５に記載の電池モジュール。
【請求項９】
前記収容傾斜面は前記収容空間と対向するように前記収容空間に露出し、前記収容スリットは前記収容空間と連通することを特徴とする請求項５に記載の電池モジュール。
【請求項１０】
電池セルは、前記第１収容側壁、前記第２収容側壁及び前記第３収容側壁のそれぞれにおいて１つの溝部を定義する２つの収容傾斜面の間に電極組立体を位置させ、１つの収容スリットにシーリング部を位置させることを特徴とする請求項５に記載の電池モジュール。
【請求項１１】
前記シーリング部は、折畳部を通じて前記第１収容側壁、前記第２収容側壁及び前記第３収容側壁の収容スリットに挟み込まれ、偏平部を通じて前記第３収容側壁の収容スリットに挟み込まれることを特徴とする請求項１０に記載の電池モジュール。
【請求項１２】
前記載置ハウジングの前記載置側壁は、前記載置ハウジングの底側から天井に向かって前記ジグザグ形状を有することを特徴とする請求項１に記載の電池モジュール。
【請求項１３】
前記載置ハウジングは、前記載置空間を介在して対向する第１載置側壁及び第２載置側壁、そして前記載置空間の開口面と対向する第３載置側壁を含み、
前記載置構造部は、前記第１載置側壁、前記第２載置側壁及び前記第３載置側壁で前記ジグザグ形状に沿って位置する載置傾斜面と、前記載置傾斜面同士の間の溝部にそれぞれ位置する載置スリットとを有することを特徴とする請求項１に記載の電池モジュール。
【請求項１４】
前記電池収容部及び前記電池カバー部は、天然ゴム、合成ゴム、エラストマまたはプラストマからなることを特徴とする請求項１に記載の電池モジュール。
【請求項１５】
前記電池収容部及び前記電池カバー部は、金属材質からなることを特徴とする請求項１に記載の電池モジュール。
【発明の詳細な説明】
【技術分野】
【０００１】
本発明は、順次積層される発熱体をまとめて囲む構成要素を用いて、発熱体の間に位置するカートリッジを代替するのに好適な電池モジュールに関する。
【０００２】
本出願は、２０１５年１１月５日出願の韓国特許出願第１０−２０１５−０１５５１８８号に基づく優先権を主張し、該当出願の明細書及び図面に開示された内容は、すべて本出願に援用される。
【背景技術】
【０００３】
近年、車両の排出ガスに因る大気汚染を減らすため、内燃機関及び／または電気モータを用いて駆動力を確保する研究に基づいて車両が製造されている。それにより、車両はハイブリッド自動車、プラグインハイブリッド自動車、そして電気自動車の順に進化してきた。ハイブリッド自動車及びプラグインハイブリッド自動車は、内燃機関、電気モータと電池パックを備える。一方、電気自動車は、内燃機関なしに、電気モータと電池パックを有する。
【０００４】
電池パックもハイブリッド自動車、プラグインハイブリッド自動車及び電気自動車とともに進化してきた。電池パックは電気自動車の外部電力または内部電力を用いて充電可能に構成される。前記電池パックはカートリッジ及び電池セルを含む電池モジュールを有する。前記カートリッジは電池モジュールで順次積層される。前記電池セルはカートリッジの間に位置する。この場合、前記カートリッジは、電池モジュール内で電池セルを固定し、外部の影響から電池セルを保護するように構成される。
【０００５】
また、前記カートリッジは、冷却フィンを備え、電池セルの充電及び放電中に電池セルを冷却させ、構造的な形状を用いて電池セルの電気的連結を円滑にするように構成される。すなわち、前記電池モジュールにおいて、前記カートリッジは電池セルに対して多様な用途を有する。したがって、前記電池セルのため、カートリッジと隣接する構成要素との結合関係に対する研究が活発に行われている。その一例が韓国特許公開第１０−２０１４−００４２０５９号公報（公開日：２０１４年４月７日）「電池モジュール用セルカートリッジ及びそれを用いた電池モジュール」に開示されている。
【０００６】
前記電池モジュールは、複数のセルカートリッジ、複数のセル及び複数のヒートシンクを有する。前記セルカートリッジは電池モジュールで順次配列される。前記セルはセルカートリッジに収納される。前記ヒートシンクはセルカートリッジ同士の間に介在される。ここで、前記カートリッジは方形のフレームにゴム部材からなるクッション部材を有する。前記クッション部材は、ヒートシンクの周縁を部分的に貫通して隣接するセルの縁部を支持しながら、隣接するセルのシーリング部を加圧する。すなわち、前記クッション部材は、外部の影響によるカートリッジまたは電池モジュールの振動に対抗して、カートリッジ上でセルを安定的に支持する。
【０００７】
しかし、電池モジュールがますます高容量化するにつれて、前記電池モジュールは、セルだけでなく、セルを載置するセルカートリッジをますます多く必要とする。したがって、前記セルカートリッジは、電池モジュールの高容量化に従って電池モジュールだけでなく、電池パックの体積を増加させる。また、前記セルカートリッジの個数の増加により、電池モジュールにおいてセルカートリッジを整列するためのねじ部材の反復的な使用が必要となる。
【発明の概要】
【発明が解決しようとする課題】
【０００８】
本発明は、上記問題点に鑑みてなされたものであり、電池セルを載置するカートリッジの代用物を備えることで、高容量化による全体的な体積の増加を最小化し、電池セル周辺の単純な構造を実現するのに好適な電池モジュールを提供することを目的とする。
【課題を解決するための手段】
【０００９】
上記の課題を達成するため、本発明による電池モジュールは、収容ハウジングの内部に設けられて前記収容ハウジングの一側面に向かって開口する収容空間を有し、前記収容空間を囲む収容側壁にジグザグ形状の収容構造部を有する電池収容部と、前記収容空間に収容されて前記収容構造部に接触し、前記収容ハウジングの前記一側面に向かって位置して前記収容ハウジングから突出する複数の電極リードを有する複数の電池セルと、載置ハウジングの内部に前記収容空間に向かって開口して前記複数の電池セルを載置する載置空間を有し、前記載置空間を囲む載置側壁にジグザグ形状の載置構造部を有する電池カバー部と、を含み、前記載置ハウジングは前記収容ハウジングの前記一側面を覆って前記複数の電極リードによって貫通されることを特徴とする。
【００１０】
本発明において、前記収容ハウジングは前記一側面と対向する他側面で前記収容空間を閉鎖することができる。
【００１１】
前記収容ハウジングにおける前記収容空間の長さは、前記載置ハウジングにおける前記載置空間の長さより長いことが望ましい。
【００１２】
本発明において、前記収容ハウジングの前記収容側壁は前記収容ハウジングの底側から天井に向かってジグザグ形状を有し得る。
【００１３】
望ましくは、前記収容ハウジングの前記収容側壁は、前記収容空間を介在して対向する第１収容側壁及び第２収容側壁、そして前記収容ハウジングの前記一側面と対向する他側面に第３収容側壁を含み、前記収容構造部は、前記第１収容側壁、前記第２収容側壁及び前記第３収容側壁で前記ジグザグ形状に沿って位置する収容傾斜面と、前記収容傾斜面同士の間の溝部にそれぞれ位置する収容スリットとを有し得る。
【００１４】
本発明において、前記収容傾斜面は、前記第１収容側壁、前記第２収容側壁及び前記第３収容側壁の間で分離することができる。
【００１５】
一態様において、前記第１収容側壁の収容傾斜面は、前記収容空間内の１つレベルで、前記第２収容側壁の収容傾斜面及び前記第３収容側壁の収容傾斜面と同じ幅を有し得る。
【００１６】
他の態様において、前記第１収容側壁と前記第２収容側壁との間の幅は、前記第３収容側壁の収容傾斜面の長さよりも小さくなり得る。
【００１７】
さらに他の態様において、前記収容傾斜面は前記収容空間と対向するように前記収容空間に露出し、前記収容スリットは前記収容空間と連通することができる。
【００１８】
本発明において、電池セルは、前記第１収容側壁、前記第２収容側壁及び前記第３収容側壁のそれぞれにおいて１つの溝部を定義する２つの収容傾斜面の間に電極組立体を位置させ、１つの収容スリットにシーリング部を位置させ得る。
【００１９】
ここで、前記シーリング部は、折畳部を通じて前記第１収容側壁、前記第２収容側壁及び前記第３収容側壁の収容スリットに挟み込まれ、偏平部を通じて前記第３収容側壁の収容スリットに挟み込まれ得る。
【００２０】
本発明において、前記載置ハウジングの前記載置側壁は、前記載置ハウジングの底側から天井に向かって前記ジグザグ形状を有し得る。
【００２１】
望ましくは、前記載置ハウジングは、前記載置空間を介在して対向する第１載置側壁及び第２載置側壁、そして前記載置空間の開口面と対向する第３載置側壁を含み、前記載置構造部は、前記第１載置側壁、前記第２載置側壁及び前記第３載置側壁で前記ジグザグ形状に沿って位置する載置傾斜面と、前記載置傾斜面同士の間の溝部にそれぞれ位置する載置スリットとを有し得る。
【００２２】
本発明において、前記載置傾斜面は、前記第１載置側壁、前記第２載置側壁及び前記第３載置側壁の間で分離することができる。
【００２３】
望ましくは、前記第１載置側壁の載置傾斜面は、前記載置空間内の１つのレベルで、前記第２載置側壁の載置傾斜面と前記第３載置側壁の載置傾斜面と同じ幅を有し得る。
【００２４】
一態様において、前記第１載置側壁と前記第２載置側壁との間の幅は、前記第３載置側壁の載置傾斜面の長さよりも小さくなり得る。
【００２５】
他の態様において、前記載置傾斜面は前記載置空間と対向するように前記載置空間に露出し、前記載置スリットは前記載置空間と連通することができる。
【００２６】
本発明において、電池セルは、前記第１載置側壁、前記第２載置側壁及び前記第３載置側壁のそれぞれにおいて１つの溝部を定義する２つの載置傾斜面の間に電極組立体を位置させ、１つの載置スリットにシーリング部を位置させ得る。
【００２７】
望ましくは、前記シーリング部は、折畳部を通じて前記第１載置側壁、前記第２載置側壁及び前記第３載置側壁の載置スリットに挟み込まれ、偏平部を通じて前記第３載置側壁の載置スリットに挟み込まれ得る。
【００２８】
一方、前記載置ハウジングは、前記第３載置側壁の載置傾斜面同士の間で載置スリットと連通して前記第３載置側壁を貫通する貫通孔をさらに含み、前記貫通孔は前記電極リードと同じ個数を有し、前記電極リードは前記貫通孔にそれぞれ挿入されて前記第３載置側壁から突出することができる。
【００２９】
選択的に、前記電池収容部及び前記電池カバー部は、天然ゴム、合成ゴム、エラストマ（ｅｌａｓｔｏｍｅｒ）またはプラストマ （ｐｌａｓｔｏｍｅｒ）からなり得る。
【００３０】
選択的に、前記電池収容部及び前記電池カバー部は、金属材質からなり得る。
【発明の効果】
【００３１】
本発明による電池モジュールは、ゴム材質からなる電池収容部及び電池カバー部を備え、電池収容部及び電池カバー部で複数の電池セルを囲むことで、電池セルの個数ほどのカートリッジを必要としないため、高容量化に伴う全体的な体積の増加を最小化することができる。
【００３２】
本発明による電池モジュールは、カートリッジの代替物として、電池収容部及び電池カバー部を用いて複数の電池セルを密接に囲み、電池カバー部を通じて電池セルの電極リードを貫通させるため、電池収容部及び電池カバー部の外部で電池セルの連結構造を単純化することができる。
【図面の簡単な説明】
【００３３】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００３４】
【図１】本発明による電池モジュールを示した斜視図である。
【図２】図１の電池モジュールの分解斜視図である。
【図３】図２の電池収容部を示した斜視図である。
【図４】図２の電池カバー部を示した斜視図である。
【図５】図１の電池モジュールをＩ−Ｉ′に沿って切断した断面図である。
【図６】図５の電池モジュールの他の実施例を説明するための図である。
【発明を実施するための形態】
【００３５】
以下、添付された図面を参照して本発明の望ましい実施例を説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００３６】
後述する実施例において、電池セルとはリチウム二次電池を称する。ここで、リチウム二次電池とは、充電及び放電中に、リチウムイオンが作動イオンとして働き、正極と負極とで電気化学的反応を引き起こす二次電池を総称する。しかし、本発明が電池の種類によって限定されることはない。
【００３７】
図１は本発明による電池モジュールを示した斜視図であり、図２は図１の電池モジュールの分解斜視図である。
【００３８】
図１及び図２を参照すれば、前記電池モジュール１００は、電池収容部４０、複数の電池セル６０、及び電池カバー部９０を含む。前記電池収容部４０は、図２に示されたように、一側面に向かって開口する収容空間２１を定義し、収容空間２１を囲む収容側壁２８がジグザグ形状を有する収容ハウジング３０を含む。前記収容ハウジング３０は、収容空間２１及びジグザグ形状の収容側壁２８を通じて複数の電池セル６０を収容する。
【００３９】
望ましくは、前記電池収容部４０は、天然ゴム、合成ゴム、エラストマまたはプラストマからなるが、これらに限定されず、金属材質からなっても良い。
【００４０】
前記電池セル６０は、図２に示されたように、電極組立体５１、２つの電極リード５３、及びパウチ外装材５９を含む。前記電極組立体５１と電極リード５３とはパウチ外装材５９の内部で電気的に接続される。
【００４１】
前記パウチ外装材５９は、電極組立体５１及び電極リード５３の一部を密封し、電極リード５３の残りの一部を外部に露出させる。望ましくは、前記パウチ外装材５９は、電極組立体５１の周辺にシーリング部５８を有する。前記シーリング部５８は、パウチ外装材５９の中央領域に向かって折り畳まれた折畳部５５、及び偏平部５７からなる。
【００４２】
ここで、前記電池セル６０のそれぞれは、シーリング部５８と電極組立体５１を通じて収容ハウジング３０の収容空間２１に収容され、シーリング部５８を通じて収容ハウジング３０の収容側壁２８と接触する。望ましくは、前記複数の電池セル６０は収容ハウジング３０の収容空間２１に順次積層される。一態様において、前記電池セル６０はパウチ型である。
【００４３】
前記電池カバー部９０は、電池収容部４０の収容空間２１を覆う。望ましくは、前記電池カバー部９０は、図４に示されたように、内部で載置空間７１を定義し、載置空間７１を囲む載置側壁７８がジグザグ形状を有する載置ハウジング８０を含む。前記載置ハウジング８０は、図２に示されたように、載置空間７１の反対側に複数の貫通孔７６Ｃを有する。前記貫通孔７６Ｃは載置空間７１と連通する。
【００４４】
また、前記載置ハウジング８０は、載置空間７１及びジグザグ形状の載置側壁７８を通じて複数の電池セル６０を載置し、複数の貫通孔７６Ｃを通って電極リード５３を外部に露出させる。
【００４５】
一態様において、前記電池カバー部９０は、天然ゴム、合成ゴム、エラストマまたはプラストマからなるが、これらに限定されず、金属材質からなっても良い。
【００４６】
図３は図２の電池収容部を示した斜視図であり、図４は図２の電池カバー部を示した斜視図である。
【００４７】
図３を参照すれば、前記電池収容部４０は、収容ハウジング３０の内部に位置して収容ハウジング３０の一側面に向かって開口する収容空間２１を有し、収容空間２１を囲む収容側壁２８にジグザグ形状の収容構造部２７を有する。
【００４８】
前記収容ハウジング３０は、一側面と対向する他側面で収容空間２１を閉鎖する（図５の２６）。前記収容ハウジング３０における収容空間２１の長さは載置ハウジング（図４の８０）における載置空間（図４の７１）の長さより長い。
【００４９】
前記収容ハウジング３０の収容側壁２８は、収容ハウジング３０の底２２側から天井２９に向かってジグザグ形状に形成される（図３及び図５を参照）。望ましくは、前記収容ハウジング３０の収容側壁２８は、収容空間２１を介在して対向する第１収容側壁２３及び第２収容側壁２４、そして収容ハウジング３０の一側面と対向する他側面に第３収容側壁２６を含む。
【００５０】
ここで、前記収容構造部２７は、第１収容側壁２３、第２収容側壁２４及び第３収容側壁２６でジグザグ形状に沿って位置する収容傾斜面２３Ａ、２４Ａ、２６Ａ、及び収容傾斜面２３Ａ、２４Ａ、２６Ａ同士の間の溝部にそれぞれ位置する収容スリット２３Ｂ、２４Ｂ、２６Ｂを有する。前記収容傾斜面２３Ａ、２４Ａ、２６Ａは、第１収容側壁２３、前記第２収容側壁２４及び第３収容側壁２６の間で分離される。
【００５１】
望ましくは、前記収容傾斜面２３Ａ、２４Ａ、２６Ａは、収容空間２１と対向するように収容空間２１に露出する。前記収容スリット２３Ｂ、２４Ｂ、２６Ｂは収容空間２１と連通する。前記第１収容側壁２３の収容傾斜面２３Ａは、収容空間２１内の１つのレベルで、第２収容側壁２４の収容傾斜面２４Ａ及び第３収容側壁２６の収容傾斜面２６Ａと同じ幅を有する。
【００５２】
前記第１収容側壁２３と第２収容側壁２４との間の幅は、第３収容側壁２６の収容傾斜面２６Ａの長さよりも小さい。一方、図２の電池セル６０は収容空間２１に収容され、収容構造部２７に接触することができる。また、前記電池セル６０の電極リード５３は収容ハウジング３０の一側面に向かって位置して収容ハウジング３０から突出することができる。
【００５３】
ここで、前記電池セル６０の電極組立体５１は、第１収容側壁２３で１つの溝部を定義する２つの収容傾斜面２３Ａの間に、第２収容側壁２４で１つの溝部を定義する２つの収容傾斜面２４Ａの間に、そして第３収容側壁２６で１つの溝部を定義する２つの収容傾斜面２６Ａの間に位置することができる。
【００５４】
前記電池セル６０のシーリング部５８は、第１収容側壁２３の１つの収容スリット２３Ｂに、第２収容側壁２４の１つの収容スリット２４Ｂに、そして第３収容側壁２６の１つの収容スリット２６Ｂに位置することができる。より詳しくは、前記シーリング部５８は折畳部（図２の５５）を通じて第１収容側壁２３、第２収容側壁２４及び第３収容側壁２６の収容スリット２３Ｂ、２４Ｂ、２６Ｂに挟み込まれ、偏平部（図２の５７）を通じて第３収容側壁２６の収容スリット２６Ｂに挟み込まれ得る（図５参照）。
【００５５】
図４を参照すれば、前記電池カバー部９０は、載置ハウジング８０の内部に収容空間２１に向かって開口して複数の電池セル（図２の６０）を載置する載置空間７１を有し、載置空間７１を囲む載置側壁７８にジグザグ形状の載置構造部７７を有する。
【００５６】
前記載置ハウジング８０の載置側壁７８は、載置ハウジング８０の底７２側から天井７９に向かってジグザグ形状に形成される。前記載置ハウジング８０は、載置空間７１を介在して対向する第１載置側壁７３及び第２載置側壁７４、そして載置空間７１の開口面と対向する第３載置側壁７６を含む。
【００５７】
ここで、前記載置構造部７７は、第１載置側壁７３、第２載置側壁７４及び第３載置側壁７６でジグザグ形状に沿って位置する載置傾斜面７３Ａ、７４Ａ、７６Ａ、及び載置傾斜面７３Ａ、７４Ａ、７６Ａ同士の間の溝部にそれぞれ位置する載置スリット７３Ｂ、７４Ｂ、７６Ｂを有する。前記載置傾斜面７３Ａ、７４Ａ、７６Ａは、第１載置側壁７３、第２載置側壁７４及び第３載置側壁７６の間で分離される。
【００５８】
望ましくは、前記載置傾斜面７３Ａ、７４Ａ、７６Ａは載置空間７１と対向するように載置空間７１に露出する。前記載置スリット７３Ｂ、７４Ｂ、７６Ｂは載置空間７１と連通する。前記第１載置側壁７３の載置傾斜面７３Ａは、載置空間７１内の１つのレベルで、第２載置側壁７４の載置傾斜面７４Ａ及び第３載置側壁７６の載置傾斜面７６Ａと同じ幅を有する。
【００５９】
前記第１載置側壁７３と第２載置側壁７４との間の幅は、第３載置側壁７６の載置傾斜面７６Ａの長さよりも小さい。また、前記載置ハウジング８０は、第３載置側壁７６の載置傾斜面７６Ａの間で載置スリット７６Ｂと連通して第３載置側壁７６を貫通する複数の貫通孔７６Ｃをさらに含む。
【００６０】
一方、前記電池セル６０の電極組立体５１は、第１載置側壁７３で１つの溝部を定義する２つの載置傾斜面７３Ａの間に、第２載置側壁７４で１つの溝部を定義する２つの載置傾斜面７４Ａの間に、そして第３載置側壁７６で１つの溝部を定義する２つの載置傾斜面７６Ａの間に位置することができる。
【００６１】
前記電池セル６０のシーリング部５８は、第１載置側壁７３で１つの載置スリット７３Ｂに、第２載置側壁７４で１つの載置スリット７４Ｂに、そして第３載置側壁７６で１つの載置スリット７６Ｂに位置することができる。より詳しくは、前記シーリング部５８は折畳部５５を通じて第１載置側壁７３、第２載置側壁７４及び第３載置側壁７６の載置スリット７３Ｂ、７４Ｂ、７６Ｂに挟み込まれ、偏平部５７を通じて第３載置側壁７６の載置スリット７６Ｂに挟み込まれ得る。
【００６２】
また、前記電池セル６０の電極リード５３は、載置ハウジング８０の第３載置側壁７６の貫通孔７６Ｃと同じ個数を有し得る。望ましくは、前記複数の電極リード５３は、第３載置側壁７６の載置スリット７６Ｂを通じて複数の貫通孔７６Ｃにそれぞれ挿入されて第３載置側壁７６から突出することができる。
【００６３】
図５は図１の電池モジュールをＩ−Ｉ′に沿って切断した断面図であり、図６は図５の電池モジュールの他の実施例を説明するための図である。
【００６４】
図５を参照すれば、前記電池収容部４０及び電池カバー部９０は、複数の電池セル６０を囲んで電池セル６０の電極リード５３を外部に露出させることができる。より詳しくは、前記電池収容部４０と電池カバー部９０とは、図３に示された第１及び第２収容側壁２３、２４と図４に示された第１及び第２載置側壁７３、７４とを通じて接触する。
【００６５】
一方、図６に示されたように、前記電池収容部４０と前記電池カバー部９０とは、相互結合時のより安定的且つ簡便な結合のため、相互ブロック結合の形態で嵌合される嵌合結合部２５、７５を備えることができる。前記嵌合結合部２５、７５は、前記電池収容部４０に形成される嵌合溝２５、及び前記電池カバー部９０に形成されて前記嵌合溝２５に挿入される嵌合突起７５からなり得るが、これに限定されず、前記嵌合溝及び嵌合突起の構造は、前記電池収容部４０に嵌合突起が形成され前記電池カバー部９０に嵌合溝が形成されても良く、前記電池収容部４０及び前記電池カバー部９０に、それぞれ、相互結合される嵌合溝と嵌合突起がすべて形成されても良い。
【００６６】
図５を再度参照すれば、ここで、前記複数の電池セル６０は、収容空間２１と載置空間７１に複数の電極組立体５１を有する。前記複数の電極組立体５１は収容空間２１と載置空間７１に順次積層される。望ましくは、前記電極組立体５１は第３収容側壁２６の収容傾斜面２６Ａと第３載置側壁７６の載置傾斜面７６Ａとに接触する。
【００６７】
また、前記電池セル６０は、収容傾斜面２６Ａの間の溝部、そして載置傾斜面７６Ａの間の溝部で、収容スリット２６Ｂと載置スリット７６Ｂにシーリング部（図２の５８）の偏平部５７を有する。勿論、図示されていないが、前記電池セル６０は、第１及び第２収容側壁２３、２４の収容スリット２３Ｂ、２４Ｂと第１及び第２載置側壁７３、７４の載置スリット７３Ｂ、７４Ｂにもシーリング部５８の折畳部５５を有する。
【００６８】
一方、前記電池セル６０の電極リード５３は、載置ハウジング８０の第３載置側壁７６のスリット７６Ｂを経由して第３載置側壁７６の貫通孔７６Ｃに挿入され、貫通孔７６Ｃから突出する。
【００６９】
以下、本発明による電池モジュールの製造方法を図面を参照して説明する。
【００７０】
図１及び図２を参照して、電池収容部４０、複数の電池セル６０及び電池カバー部９０が用意される。前記電池収容部４０は、収容ハウジング３０の内部に位置して収容ハウジング３０の一側面に向かって開口する収容空間２１を有し得る。望ましくは、前記電池収容部４０は側壁２８がジグザグ形状を有し得る。
【００７１】
前記電池セル６０は収容ハウジング３０の収容空間２１に部分的に収容され得る。この場合、前記電池セル６０の電極組立体５１とシーリング部５８の一部とは、収容ハウジング３０のジグザグ形状の側壁２８に接触することができる。前記電池セル６０が単方向の電極リード５３を有するため、前記電極リード５３は収容ハウジング３０から露出することができる。
【００７２】
前記電池カバー部９０は、電池収容部４０と接触することができる。すなわち、前記電池収容部４０と電池カバー部９０とは側壁２８、７８を通じて接触することができる。この場合、前記電池カバー部９０は、載置ハウジング８０の内部に位置して収容ハウジング３０に向かって開口する載置空間７１を有し得る（図４を参照）。望ましくは、前記電池カバー部９０は側壁７８がジグザグ形状を有し得る。
【００７３】
一方、前記複数の電池セル６０は、載置ハウジング８０の載置空間７１に部分的に収容される。この場合、前記電池セル６０の電極組立体５１とシーリング部５８の残り部分は、載置ハウジング８０のジグザグ形状の側壁７８に接触することができる。この場合、前記複数の電池セル６０の複数の電極リード５３は載置ハウジング８０を貫通して載置ハウジング８０の複数の貫通孔７６Ｃから突出することができる。
【００７４】
以上のように、本発明を限定された実施例と図面によって説明したが、本発明はこれに限定されるものではなく、本発明の属する技術分野で通常の知識を有する者によって本発明の技術思想と特許請求の範囲の均等範囲内で多様な修正及び変形が可能であることは言うまでもない。
【符号の説明】
【００７５】
２  電極組立体
２１  収容空間
２２  底
２３  第１収容側壁
２３Ａ  収容傾斜面
２３Ｂ  収容スリット
２４  第２収容側壁
２４Ａ  収容傾斜面
２４Ｂ  収容スリット
２５  嵌合結合部（嵌合溝）
２６  第３収容側壁
２６Ａ  収容傾斜面
２６Ｂ  収容スリット
２７  収容構造部
２８  収容側壁
２９  天井
３０  収容ハウジング
４０  電池収容部
５１  電極組立体
５３  電極リード
５５  折畳部
５７  偏平部
５８  シーリング部
５９  パウチ外装材
６０  電池セル
７１  載置空間
７２  底
７３  第１載置側壁
７３Ａ  載置傾斜面
７３Ｂ  載置スリット
７４  第２載置側壁
７４Ａ  載置傾斜面
７４Ｂ  載置スリット
７５  嵌合結合部（嵌合突起）
７６  第３載置側壁
７６Ａ  載置傾斜面
７６Ｂ  載置スリット
７６Ｃ  貫通孔
７７  載置構造部
７８  載置側壁
７９  天井
８０  載置ハウジング
９０  電池カバー部
１００  電池モジュール
【図１】
0006600744.tif 000002
【図２】
0006600744.tif 000003
【図３】
0006600744.tif 000004
【図４】
0006600744.tif 000005
【図５】
0006600744.tif 000006
【図６】
0006600744.tif 000007